(57)【要約】  光源部は、色の異なる複数の基本光と、複数の基本光のいずれかの色と同じ色の追加光とを出射する。制御部（１２）は、入力された入力映像信号に基づいて、入力映像信号に示される画像の各画素の色に応じた、各基本光を変調するための第１の変調信号と、各画素における当該画素の色と複数の基本光の色のうち追加光の色とは異なる所定の色との近似性を示す特色度に応じた、追加光を変調するための第２の変調信号と、を出力する。変調部（１０８、１０９、１１０）は、第１の変調信号に従って各基本光を変調して出射し、第２の変調信号に従って追加光を変調して出射する。
2014162768.tif 000002
【特許請求の範囲】
【請求項１】
色の異なる複数の基本光と、前記複数の基本光のいずれかの色と同じ色の追加光とを出射する光源部と、
入力された入力映像信号に基づいて、前記入力映像信号に示される画像の各画素の色に応じた、各基本光を変調するための第１の変調信号と、各画素における当該画素の色と前記複数の基本光の色のうち前記追加光の色とは異なる所定の色との近似性を示す特色度に応じた、前記追加光を変調するための第２の変調信号と、を出力する制御部と、
前記第１の変調信号に従って各基本光を変調して出射し、前記第２の変調信号に従って前記追加光を変調して出射する変調部と、を有するプロジェクタ。
【請求項２】
請求項１に記載のプロジェクタにおいて、
前記変調部にて変調された各基本光および前記追加光を投写面に投写する投写光学部をさらに有し、
前記制御部は、各画素について、当該画素に対応する特色度が高いほど、前記投写光学部から投写される追加光の当該画素の光量が小さくなる前記第２の変調信号を出力する、プロジェクタ。
【請求項３】
請求項２に記載のプロジェクタにおいて、
前記変調部は、前記第２の変調信号に従って、前記追加光を前記投写光学部に向かう方向に出射するオンステートと、前記追加光を前記方向とは異なる方向に出射するオフステートとを前記画素ごとに切り替えることで、前記追加光を変調し、
前記制御部は、各画素について、当該画素に対応する特色度が高いほど、当該画素を前記オンステートにする時間を短くする、プロジェクタ。
【請求項４】
請求項１ないし３のいずれか１項に記載のプロジェクタにおいて、
前記制御部は、前記特色度をΔ１とし、前記画素の色相をＨ、彩度をＳ、明度をＶとし、前記所定の色の色相をＨｃｌとし、前記画素における前記特色度を算出する色相の範囲を示す値をｍｌとし、関数ｐｏｓ（ｘ）を、ｘが正のときにｘとなり、ｘが正でないときは０となる関数とすると、前記特色度Δ１を、
【数１】
2014162768.tif 000014
から決定する、プロジェクタ。
【請求項５】
請求項１ないし３のいずれか１項に記載のプロジェクタにおいて、
前記制御部は、前記画素の色と、当該画素の色の前記所定の色に対する特色度との対応関係を示すルックアップテーブルを保持し、当該ルックアップテーブルを用いて各画素の特色度を決定する、プロジェクタ。
【請求項６】
請求項１ないし５のいずれか１項に記載のプロジェクタにおいて、
前記制御部は、前記入力映像信号に基づいて、前記画素ごとに、当該画素の色と、前記所定の色の基本光と他の基本光とが混合された混合光の色との近似性を示す他特色度を算出し、各画素の特色度および他特色度に応じた前記第２の変調信号を出力する、プロジェクタ。
【請求項７】
請求項１ないし６のいずれか１項に記載のプロジェクタにおいて、
前記入力映像信号は、各画素の色を、前記所定の色の輝度値を含む複数の色の輝度値で表し、
前記制御部は、各画素の特色度と、前記入力映像信号が示す各画素の所定の色の輝度値とに基づいて、前記追加光の輝度値である混合量を決定し、前記混合量に応じた前記第２の変調信号を出力する、プロジェクタ。
【請求項８】
請求項７に記載のプロジェクタにおいて、
前記制御部は、前記特色度をΔ１、前記所定の色の輝度値をＸとすると、前記混合量ＭＧを、
【数２】
2014162768.tif 000015
から決定する、プロジェクタ。
【請求項９】
請求項７に記載のプロジェクタにおいて、
前記制御部は、前記特色度と前記混合量との対応関係を示すルックアップテーブルを保持し、当該ルックアップテーブルを用いて前記混合量を決定する、プロジェクタ。
【請求項１０】
色の異なる複数の基本光と前記複数の基本光のいずれかの色と同じ色の追加光とを出射する光源部と、各基本光を変調するための第１の変調信号に従って各基本光を変調して出射し、前記追加光を変調するための第２の変調信号に従って前記追加光を変調して出射する変調部と、を備えるプロジェクタに用いられる色補正装置であって、
入力された入力映像信号に基づいて、前記入力映像信号に示される画像の各画素の色に応じた前記第１の変調信号と、各画素における当該画素の色と前記複数の基本光の色のうち前記追加光の色とは異なる所定の色との近似性を示す特色度に応じた前記第２の変調信号と、を出力する制御部を有する色補正装置。
【請求項１１】
色の異なる複数の基本光と、前記複数の基本光のいずれかの色と同じ色の追加光とを出射し、
入力された入力映像信号に基づいて、前記入力映像信号に示される画像の各画素の色に応じた、各基本光を変調するための第１の変調信号と、各画素における当該画素の色と前記複数の基本光の色のうち前記追加光の色とは異なる所定の色との近似性を示す特色度に応じた、前記追加光を変調するための第２の変調信号と、を出力し、
前記第１の変調信号に従って各基本光を変調して出射し、前記第２の変調信号に従って前記追加光を変調して出射する、投写方法。
【発明の詳細な説明】
【技術分野】
【０００１】
本発明は、複数の色光を用いてカラー画像を投写するプロジェクタに関する。
【背景技術】
【０００２】
複数の色光を用いてカラー画像を投写するプロジェクタでは、ホワイトバランスの優れた画像を投写するためには、人間の各色光に対する視感度や、各色光を出射する光源の光出力性能などに応じて、各色光の光量を調整する必要がある。このため、各色光の光出力性能を十分に発揮させることができず、白色の画像が暗くなってしまうという問題がある。【０００３】
例えば、赤色光、緑色光および青色光のそれぞれを出射する複数のＬＥＤを光源として利用したプロジェクタの場合、現状では、緑色光を出射する緑色ＬＥＤの性能が最も低く、青色光を出射する青色ＬＥＤの性能が最も高い。このため、ホワイトバランスの優れた画像を投写するためには、青色ＬＥＤの輝度を抑制しなければならない。【０００４】
これに対して特許文献１には、緑色光源として使用される緑色ＬＥＤとは別に、青色光に緑色光を混合させる付加的な緑色ＬＥＤを備えた投射型表示装置が記載されている。この投射型表示装置では、青色ＬＥＤと付加的な緑色ＬＥＤとを並べたＬＥＤアレイを青色光源として用いることで、青色光に緑色光を混合させている。これにより、緑色光の光量を増加させることが可能になるので、青色ＬＥＤの輝度を抑制しなくても、白色が明るくホワイトバランスの優れた画像を投写することが可能になる。
【先行技術文献】
【特許文献】
【０００５】
【特許文献１】国際公開第２０１１／０３７０１４号
【発明の概要】
【発明が解決しようとする課題】
【０００６】
しかしながら、特許文献１に記載の投射型表示装置では、青色光源から青色光だけでなく、緑色光が出射されてしまうので、色再現性に関しては改良の余地がある。【０００７】
図１Ａおよび図１Ｂは、特許文献１に記載の投射型表示装置の色再現性を説明するための図である。【０００８】
具体的には、図１Ａは、青色光源から青色光だけが出射される場合における投写画像の色域１を示すｘｙ色度図であり、図１Ｂは、青色光源から青色光および緑色光が出射される場合における投写画像の色域２を示すｘｙ色度図である。【０００９】
青色光源から青色光だけが出射される場合、投写画像の色域は、図１Ａにおける色域１のように広くなっているが、青色光源から青色光および緑色光が出射される場合には、投写画像の色域は、図１Ｂにおける色域２のように、青色を表す領域がなくなっている。このため、青色光源から青色光および緑色光が出射される場合、青色の画像を投写しようとしても、実際には、シアン色の画像が投写されることとなる。【００１０】
本発明は、上記の課題を解決することが可能なプロジェクタおよびその駆動方法を提供することを目的とする。
【課題を解決するための手段】
【００１１】
本発明によるプロジェクタは、
色の異なる複数の基本光と、前記複数の基本光のいずれかの色と同じ色の追加光とを出射する光源部と、
入力された入力映像信号に基づいて、前記入力映像信号に示される画像の各画素の色に応じた、各基本光を変調するための第１の変調信号と、各画素における当該画素の色と前記複数の基本光の色のうち前記追加光の色とは異なる所定の色との近似性を示す特色度に応じた、前記追加光を変調するための第２の変調信号と、を出力する制御部と、
前記第１の変調信号に従って各基本光を変調して出射し、前記第２の変調信号に従って前記追加光を変調して出射する変調部と、を有する。【００１２】
本発明の色補正装置は、
色の異なる複数の基本光と前記複数の基本光のいずれかの色と同じ色の追加光とを出射する光源部と、各基本光を変調するための第１の変調信号に従って各基本光を変調して出射し、前記追加光を変調するための第２の変調信号に従って前記追加光を変調して出射する変調部と、を備えるプロジェクタに用いられる色補正装置であって、
入力された入力映像信号に基づいて、前記入力映像信号に示される画像の各画素の色に応じた前記第１の変調信号と、各画素における当該画素の色と前記複数の基本光の色のうち前記追加光の色とは異なる所定の色との近似性を示す特色度に応じた前記第２の変調信号と、を出力する制御部を有する。【００１３】
本発明の投写方法は、
色の異なる複数の基本光と、前記複数の基本光のいずれかの色と同じ色の追加光とを出射し、
入力された入力映像信号に基づいて、前記入力映像信号に示される画像の各画素の色に応じた、各基本光を変調するための第１の変調信号と、各画素における当該画素の色と前記複数の基本光の色のうち前記追加光の色とは異なる所定の色との近似性を示す特色度に応じた、前記追加光を変調するための第２の変調信号と、を出力し、
前記第１の変調信号に従って各基本光を変調して出射し、前記第２の変調信号に従って前記追加光を変調して出射する。
【発明の効果】
【００１４】
本発明によれば、白色の画像の高輝度化を実現しつつ、色再現性を向上させることが可能になる。
【図面の簡単な説明】
【００１５】
【図１Ａ】第１の関連技術のプロジェクタによる投写画像の色域を示す色度図である。
【図１Ｂ】第２の関連技術のプロジェクタによる投写画像の色域を示す色度図である。
【図２】本発明の第１の実施形態のプロジェクタの構成を示す図である。
【図３】本発明の第１の実施形態のプロジェクタの光学系の構成を示す図である。
【図４】本発明の第１の実施形態のプロジェクタの制御部の構成を示す図である。
【図５】光の出射期間の一例を示す図である。
【図６】本発明の第１の実施形態のプロジェクタの制御部の動作の一例を説明するためのフローチャートである。
【図７】中心色相と検出色相範囲との関係を示す図である。
【図８】対象色の色相と特色度の関係を示す図である。
【図９】青色に対する対象色の特色度を示す図である。
【図１０】本発明の第１の実施形態のプロジェクタによる投写画像の色域を示す色度図である。
【図１１】本発明の第２の実施形態のプロジェクタの光学系の構成を示す図である。
【図１２】本発明の第２の実施形態のプロジェクタの制御部の構成を示す図である。
【図１３】本発明の第３の実施形態のプロジェクタの光学系の構成を示す図である。
【図１４】本発明の第３の実施形態のプロジェクタの制御部の構成を示す図である。
【図１５】本発明の第３の実施形態の光源の点灯期間を示すタイミングチャートである。
【図１６】本発明の第３の実施形態のプロジェクタの制御部の動作の一例を説明するためのフローチャートである。
【発明を実施するための形態】
【００１６】
以下、本発明の実施形態について図面を参照して説明する。なお、以下の説明では、同じ機能を有するものには同じ符号を付け、その説明を省略する場合がある。
【００１７】
図２は、本発明の第１の実施形態のプロジェクタの構成を示す図である。図２に示すように、本実施形態のプロジェクタ１０は、光源部１１と、制御部１２と、変調部１３とを含む。
光源部１１は、色の異なる複数の基本光と、複数の基本光のいずれかの色と同じ色の追加光とを出射する。
【００１８】
制御部１２は、入力された入力映像信号に基づいて、光源部１１から出射された各基本光および追加光を変調するための変調信号であるＰＷＭ（pulse width modulation：パルス幅変調）信号を出力する。以下では、基本光を変調するためのＰＷＭ信号である第１の変調信号を第１のＰＷＭ信号と称し、追加光を変調するためのＰＷＭ信号である第２の変調信号を第２のＰＷＭ信号と称することもある。
【００１９】
制御部１２は、具体的には、入力映像信号に基づいて、その入力映像信号が示す画像の各画素の色に応じた第１のＰＷＭ信号と、各画素における画素の色と基本光の色のうちの追加光の色とは異なる所定の色との近似性を示す特色度に応じた第２のＰＷＭ信号と、を変調部１３に出力する。
【００２０】
変調部１３は、制御部１２からの第１のＰＷＭ信号に従って、光源部１１からの各基本光を変調して出射し、制御部１２からの第２のＰＷＭ信号に従って、光源部１１からの追加光を変調して出射する。
【００２１】
以下、光源部１１および変調部１３を有する光学系についてより詳細に説明する。
【００２２】
図３は、プロジェクタ１０の光学系の構成を示す図である。図３に示す光学系は、赤色光源１０１と、緑色光源１０２と、白色光源１０３と、カラーホイール１０４と、プリズム１０５〜１０７と、ＤＭＤ（Digital Mirror Device）１０８〜１１０と、ダイクロイックプリズム１１１と、投写レンズ１１２とを有する。
【００２３】
赤色光源１０１、緑色光源１０２、白色光源１０３およびカラーホイール１０４は、図２に示した光源部１１を構成する。なお、図３の例では、光源部１１は、基本光として赤色光、緑色光および青色光を出射し、追加光として緑色光を出射する。
【００２４】
具体的には、赤色光源１０１は、基本光の一つである赤色光を出射する。緑色光源１０２は、基本光の一つである緑色光を出射する。白色光源１０３は、白色光を出射する。
【００２５】
カラーホイール１０４は、白色光源１０３から出射された白色光の光路上に配置され、入射された白色光を基本光の一つである青色光と、追加光である緑色光とに時分割して出射する。なお、本実施形態では、カラーホイール１０４は、所定の回転軸を中心に回転可能な基板を有し、その基板には、青色光を透過する青色フィルタと、緑色光を透過する緑色フィルタとが設けられているものとする。
【００２６】
プリズム１０５は、赤色光源１０１から出射される赤色光の光路上に設けられ、その赤色光を反射してＤＭＤ１０８に入射させる。プリズム１０６は、緑色光源１０２から出射される緑色光の光路上に設けられ、その緑色光を反射してＤＭＤ１０９に入射させる。プリズム１０７は、カラーホイール１０４から出射される青色光および緑色光の光路上に設けられ、その青色光および緑色光を反射してＤＭＤ１１０に入射させる。
【００２７】
ＤＭＤ１０８〜１１０は、図２に示した変調部１３を構成する。なお、一般的にＤＭＤは、複数の画素のそれぞれに対応して設けられた複数のマイクロミラーがマトリックス状に配列された構成を有し、各マイクロミラーのステートを切り替えることで、入射光を変調するものである。
【００２８】
本実施形態のＤＭＤ１０８〜１１０は、各マイクロミラーのステートとして、入射光をダイクロイックプリズム１１１に向かう方向である第１の方向に出射するオンステートと、入射光を第１の方向とは異なる第２の方向に出射するオフステートとを有する。また、ＤＭＤ１０８〜１１０は、入力されたＰＷＭ信号に従ってオンステートとオフステートとをマイクロミラーごとに（画素ごとに）切り替えることで、入射光を変調する。
【００２９】
具体的には、ＤＭＤ１０８は、第１のＰＷＭ信号に従ってプリズム１０５からの赤色光を変調し、ＤＭＤ１０９は、第１のＰＷＭ信号に従ってプリズム１０６からの緑色光を変調し、ＤＭＤ１１０は、第１のＰＷＭ信号に従ってプリズム１０７からの青光を変調し、第２のＰＷＭ信号に従ってプリズム１０７からの緑色光を変調する。
【００３０】
ダイクロイックプリズム１１１は、ＤＭＤ１０８〜１１０からの各基本光および追加光を、投写レンズ１１２を介して同じ方向（図３の光出力の方向）に向けて出射する。なお、ダイクロイックプリズム１１１および投写レンズ１１２は、投写光学部の構成の一例であり、ＤＭＤ１０８〜１１０からの各基本光および追加光をスクリーンのような投写面（図示せず）に投写する。
【００３１】
つまり、ＤＭＤ１０８〜１１０は、オンステートのときには、マイクロミラーに入射された光を投写光学部を介して投写面に投写し（つまり、外部に出射し）、オフステートのときには、マイクロミラーに入射された光を投写が行われない方向に出射する。
【００３２】
次に図２に示した制御部１２についてより詳細に説明する。
【００３３】
図４は、本実施形態の制御部１２の構成を示す図である。図４に示す制御部１２は、特色度算出部２０１と、データ生成部２０２と、シーケンス生成部２０３と、ＤＭＤ駆動部２０４〜２０６とを有する。また、制御部１２には、映像信号として、赤色、緑色および青色のそれぞれの輝度値を画素ごとに示す赤色信号、緑色信号および青色信号が入力される。
【００３４】
特色度算出部２０１は、入力映像信号である赤色信号、緑色信号および青色信号に基づいて、その入力映像信号に示される画像の画素ごとに、その画素の色と所定の色との近似性を示す特色度を算出し、各画素の特色度を示す特色度信号と入力映像信号とをデータ生成部２０２に出力する。ここでは、所定の色は、青色であるとし、特色度算出部２０１は、入力映像信号のうちの所定の色である青色に対応する青色信号をデータ生成部２０２に出力するものとする。
【００３５】
データ生成部２０２は、特色度算出部２０１からの特色度信号と、特色度算出部２０１からの所定の色である青色信号とに基づいて、各画素における追加光の輝度値である混合量を決定する。例えば、データ生成部２０２は、特色度に応じて、所定の色である青色の輝度値に対する追加光の輝度値の比率である混合率を決定し、その混合率と所定の色である青色の輝度値とに基づいて混合量を決定する。
【００３６】
各画素の混合量を決定すると、データ生成部２０２は、各画素の混合量を示す混合量信号をシーケンス生成部２０３に出力する。
【００３７】
シーケンス生成部２０３は、データ生成部２０２からの混合量信号と、入力された青色信号と、入力映像信号の同期信号に基づいて、カラーホイール１０４が青色光を出射する青色期間には、青色信号にて示される青色の輝度値を示し、カラーホイール１０４が緑色光を出射する追加光期間には、混合量信号にて示される混合量を示すシーケンス信号を生成して出力する。
【００３８】
なお、本実施形態では、カラーホイール１０４は、入力映像信号の１フレーム期間内で白色光を青色光と緑色光とに時分割するように制御されているものとする。図５は、カラーホイール１０４が１フレーム期間内で白色光を青色光と緑色光とに時分割する場合における青色期間および追加光期間の一例を示す図である。図５の例では、１フレーム期間が青色期間３０１と追加光期間３０２とに分割されている。
【００３９】
また、同期信号は入力映像信号に含まれていてもよいし、入力映像信号とは別に入力されてもよい。本実施形態では、同期信号は入力映像信号（具体的には、赤色信号、緑色信号および青色信号のそれぞれ）に含まれているものとする。
【００４０】
ＤＭＤ駆動部２０４は、入力映像信号の１フレーム期間ごとに、赤色信号にて示される輝度値に応じてＤＭＤ１０８の各マイクロミラーのオン比率である赤色オン比率を求め、各マイクロミラーの赤色オン比率を示す第１のＰＷＭ信号をＤＭＤ１０８に出力する。なお、オン比率とは、１フレーム期間内の各光源の点灯期間内における、マイクロミラーをオンステートにするオン時間の、マイクロミラーをオフステートにするオフ時間に対する比率である。また、オン比率は、１フレーム期間内の各光源の点灯期間内における、マイクロミラーをオンテートにするオン時間の、各光源の点灯期間に対する比率で定義してもよい。
【００４１】
ＤＭＤ駆動部２０５は、入力映像信号の１フレーム期間ごとに、緑色信号にて示される輝度値に応じてＤＭＤ１０９の各マイクロミラーのオン比率である緑色オン比率を求め、各マイクロミラーの緑色オン比率を示す第１のＰＷＭ信号をＤＭＤ１０９に出力する。
【００４２】
ＤＭＤ駆動部２０６は、１フレーム期間ごとに、シーケンス信号が示す青色の輝度値に応じて、その１フレーム期間内の青色期間における、ＤＭＤ１１０の各マイクロミラーのオン比率である青色オン比率を求める。また、ＤＭＤ駆動部２０６は、１フレーム期間ごとに、シーケンス信号が示す混合量に応じて、その１フレーム期間内の追加光期間における、ＤＭＤ１１０の各マイクロミラーのオン比率である追加光オン比率を求める。そして、ＤＭＤ駆動部２０６は、青色期間ごとに、青色オン比率を示す第１のＰＷＭ信号をＤＭＤ１１０に出力し、追加光期間ごとに追加光オン比率を示す第２のＰＷＭ信号をＤＭＤ１１０に出力する。
【００４３】
なお、ＤＭＤ１０８〜１１０では、オン比率が高いほど、つまり、１フレーム期間におけるオン時間が長いほど、ダイクロイックプリズム１１１および投写レンズ１１２を介して投写面に投写される光の光量が高くなり、投写画像が明るくなる。このため、ＤＭＤ駆動部２０４〜２０６は、各色の輝度値または混合量が大きいほど、オン比率（オン時間）を大きくすることで、投写レンズ１１２を介して投写面に投写される光の光量を大きくする。例えば、ＤＭＤ駆動部２０４〜２０６は、オン比率（オン時間）を、各色の輝度値または混合量に比例させて大きくする。
【００４４】
本実施形態のプロジェクタの動作について説明する。
【００４５】
図６は、制御部１２の動作を説明するためのフローチャートである。なお、以下の処理は、入力映像信号の１フレームごとに実行される。
【００４６】
先ず、外部装置から入力された入力映像信号のうち赤色信号は特色度算出部２０１とＤＭＤ駆動部２０４に入力され、緑色信号は特色度算出部２０１とＤＭＤ駆動部２０５に入力され、青色信号は特色度算出部２０１とＤＭＤ駆動部２０６に入力される（ステップＳ４０１）。
【００４７】
ＤＭＤ駆動部２０４は、入力された赤色信号にて示される赤色の輝度値に基づいて赤色オン比率を求め、その赤色オン比率を示す第１のＰＷＭ信号を生成してＤＭＤ１０８に入力する。また、ＤＭＤ駆動部２０５は、入力された緑色信号にて示される緑色の輝度値に基づいて緑色オン比率を求め、その緑色オン比率を示す第１のＰＷＭ信号を生成してＤＭＤ１０９に入力する。これにより、ＤＭＤ１０８および１０９は、基本光である赤色光および緑色光を、第１のＰＷＭ信号に基づいて変調することになる（ステップＳ４０２）。
【００４８】
特色度算出部２０１は、入力された赤色信号、緑色信号および青色信号に基づいて、特色度を画素ごとに算出し、各画素の特色度を示す特色度信号を生成する。そして、特色度算出部２０１は、特色度信号と青色信号とをデータ生成部２０２に出力する（ステップＳ４０３）。
【００４９】
データ生成部２０２は、青色信号および特色度信号を受け付け、その特色度信号および青色信号に基づいて、各画素の混合量を決定し、その各画素の混合量を示す混合量信号を生成する。そして、データ生成部２０２は、混合量信号をシーケンス生成部４０６に出力する（ステップＳ４０４）。
シーケンス生成部２０３は、混合量信号および青色信号を受け付け、その混合量信号および青色信号に基づいて、カラーホイール１０４の青色期間には、青色信号にて示される青色の輝度値を示し、カラーホイール１０４の追加光期間には、混合量信号にて示される混合量を示すシーケンス信号を生成してＤＭＤ駆動部２０６に出力する（ステップＳ４０５）。
【００５０】
ＤＭＤ駆動部２０６は、シーケンス信号を受け付け、そのシーケンス信号に基づいて、青色オン比率および追加光オン比率を求め、青色オン比率を示す第１のＰＷＭ信号および追加光オン比率を示す第２のＰＷＭ信号を生成してＤＭＤ１１０に入力する。これにより、ＤＭＤ１１０は、青色光を第１のＰＷＭ信号に従って変調し、追加光である緑色光を第２のＰＷＭ信号に従って変調することになる（ステップＳ４０６）。
【００５１】
以下ステップＳ４０３における特色度を算出する処理と、ステップＳ４０４における混合量を決定する処理についてより詳細に説明する。
【００５２】
特色度は、一般的に言えば、対象色の基準色に対する近似性を示す度合いであり、対象色が基準色と一致するときに、１．０となり、対象色が基準色から離れるにつれて小さくなる値である。また、特色度は、対象色の色相Ｈ、彩度Ｓおよび明度Ｖを変数とする関数で表される。
【００５３】
本実施形態では、入力映像信号（赤色信号、緑色信号および青色信号）はＲＧＢ形式であるため、特色度算出部２０１は、先ず、入力映像信号から、画素ごとに、その画素の色である対象色の色相Ｈ、彩度Ｓおよび明度Ｖを算出する。
【００５４】
具体的には、特色度算出部２０１は、以下のように、赤色信号、緑色信号および青色信号の値（輝度値）に基づいて、各画素の色相Ｈ、彩度Ｓおよび明度Ｖを算出する。このとき、入力映像信号が各色の輝度値を０〜２５５の整数値で示す場合、入力映像信号をＨＳＶ形式に変換する前に、各色の輝度値を０〜１．０の実数値で示す信号に変換する。以下、実数値で示された赤色信号、緑色信号および青色信号の値をそれぞれＲ、ＧおよびＢと表記する。
【００５５】
特色度算出部２０１は、色相Ｈについては、式１を用いて算出する。
【００５６】
【数１】
2014162768.tif 000003
【００５７】
ここで、Ｍａｘ（Ｘ，Ｙ，Ｚ）は、Ｘ，Ｙ，Ｚのうちの最大値を示す関数であり、Ｍｉｎ（Ｘ，Ｙ，Ｚ）は、Ｘ，Ｙ，Ｚの最小値を示す関数である。また、係数ＡおよびＢ’は、輝度値Ｒ、ＧおよびＢから決定される値である。係数ＡおよびＢ’と輝度値Ｒ、ＧおよびＢとの対応関係は、具体的には、表１で表される。
【００５８】
【表１】
2014162768.tif 000004
【００５９】
また、特色度算出部２０１は、彩度Ｓについては、式２を用いて算出する。
【００６０】
【数２】
2014162768.tif 000005
【００６１】
さらに、特色度算出部２０１は、明度Ｖについては、式３を用いて算出する。
【００６２】
【数３】
2014162768.tif 000006
【００６３】
以上のように各画素の色相Ｈ、彩度Ｓおよび明度Ｖを算出すると、特色度算出部２０１は、その色相Ｈ、彩度Ｓおよび明度Ｖに基づいて、各画素の特色度を算出する。
【００６４】
一般的には、特色度Δ１は、色相Ｈ、彩度Ｓおよび明度Ｖから基本算出式である式４を用いて算出される。
【００６５】
【数４】
2014162768.tif 000007
【００６６】
ここで、関数ｐｏｓ（ｘ）は、ｘが正のときにｘとなり、ｘが正でないときは０となる関数である。また、Ｈｃ１は、基準色の色相である中心色相、ｍ１は、対象色における特色度を算出する色相の範囲を示す値である検出色相範囲である。なお、検出色相範囲は、予め設定される値であり、基準色の色相を含む。
【００６７】
図７は、中心色相Ｈｃ１と検出色相範囲ｍ１との関係を示す図である。図７では、中心点Ｏから円の外縁部に向かう軸が彩度Ｓを表し、中心点Ｏを中心として左回りに回転する角度が色相Ｈを表し、中心点Ｏを通り紙面に垂直な軸が明度Ｖを表す。また、検出色相範囲ｍ１は、図７に示すように、円の中心角で表される。
【００６８】
数４および図７で示されたように、特色度Δ１は、対象色の色相Ｈが中心色相Ｈｃ１であり、かつ、対象色の彩度Ｓおよび明度Ｖが最大の場合に、１．０となる。また、特色度Δ１は、対象色の色度Ｈが中心色相Ｈｃ１から離れるにつれ、また、対象色の彩度Ｓおよび明度Ｈが低くなるにつれ、小さくなる。なお、対象色の色相が検出色相範囲ｍ１外にある場合、特色度Δ１は０となる。
【００６９】
図８は、対象色の彩度Ｓおよび明度Ｖを固定としたときの、対象色の色相Ｈと特色度Δ１との関係を示す図である。図８に示されたように、対象色の色相Ｈが中心色相Ｈｃ１のときに、対象色の特色度Δ１は、彩度Ｓ×明度Ｖの値となり、対象色の色相Ｈが中心色相Ｈｃ１から離れるにつれて直線的に減少する。
【００７０】
本実施形態で算出される特色度は、各画素の色の青色に対する特色度である。つまり、基準色が青色となり、対象色が各画素の色となる。以下、青色に対する対象色の特色度を青色特色度と呼ぶ。
【００７１】
図９は、青色特色度を示す図である。図９で示されたように、青色特色度ΔＢは、対象色が青色の場合、１．０となり、対象色が青色から離れるにつれて、小さくなる。
【００７２】
また、青色特色度ΔＢｃは、式４において、中心色相Ｈｃ１を青色の色相（Ｈｃ１＝３００）とした場合に対応し、具体的には、式５で表される。
【００７３】
【数５】
2014162768.tif 000008
【００７４】
したがって、特色度算出部２０１は、式５を用いて、算出した各画素の色相Ｈ、彩度Ｓおよび明度Ｖから各画素の青色特色度を算出する。
【００７５】
続いて、データ生成部２０２は、各画素の青色特色度ΔＢｃと青色信号の各画素の値Ｂとに基づいて、各画素の混合量ＭＧを決定する。具体的には、データ生成部２０２は、青色特色度ΔＢｃが大きい画素ほど、混合量を小さくする。
【００７６】
例えば、データ生成部２０２は、画素ごとに式６を適用して混合量ＭＧを決定する。
【００７７】
【数６】
2014162768.tif 000009
【００７８】
この例では、ＤＭＤ駆動部２０６は、例えば、混合量ＭＧがＢの場合、追加光オン比率が青色オン比率と等しい第２のＰＷＭ信号を出力し、混合量ＭＧが０．５×Ｂの場合、追加光オン比率が青色オン比率の５０％となる第２のＰＷＭ信号を出力し、混合量が０の場合、オン比率が０％の第２のＰＷＭ信号を出力する。なお、式（６）における（１−ΔＢｃ）は、青色の輝度値に対する追加光の輝度値の比率である混合率となる。
【００７９】
図１０は、本実施形態のプロジェクタの投写画像の色域の一例を示すｘｙ色度図である。図１０では、色域３と、特性曲線４と、参考座標５とが示されている。
【００８０】
色域３は、投写画像の色域である。特性曲線４は、入力映像信号に示される画像の画素の色の彩度を変化させることで、画素の色を白色から青色まで変えたときの投写画像の色を示す曲線である。また、参考座標５は、特許文献１に記載の投射型表示装置のように青色光源から青色光および緑色光が出射された場合における、入力映像信号に示される画像の画素の色が青色のときの、投写画像の色の座標である。
【００８１】
図１０に示されたように、投写画像の色域３は、図１Ａに示した青色光源から青色光だけが出射される場合における投写画像の色域１と同じように、青色を表す領域が含まれる。したがって、青色の色再現性が高くなっていることになる。また、白色付近では、混合量が高くなっているため、高輝度化を実現することができる。
【００８２】
以上説明した本実施形態のプロジェクタの変調部１３には、入射光を変調する変調素子としてＤＭＤ１０８〜１１０が使用されていたが、ＤＭＤとは異なる変調素子が用いられてもよい。例えば、変調部１３は、ＬＣＤ（Liquid Crystal Display）やＬＣＯＳ（Liquid crystal on silicon）のような、入射光を透過または反射する光量を調整することで、入射光を変調するものを変調素子として使用してもよい。
【００８３】
また、光源部１１は、赤色光源１０１、緑色光源１０２、白色光源１０３およびカラーホイール１０４などで構成されたが、白色光源１０３およびカラーホイール１０４の代わりに、緑色光源１０２とは別の緑色光源と青色光源とで構成されてもよい。
【００８４】
また、制御部１２は、変調部１３による基本光および追加光の変調に加えて、光源部１１が発光する発光時間や発光量を調節することで、基本光および追加光を変調してもよい。例えば、制御部１２は、入力映像信号が示す画像の各画素の輝度値のうち最大の輝度値が予め定められた閾値以上の場合、発光時間および発光量を所定値とし、最大の輝度値が閾値未満の場合、最大の輝度値が小さいほど、発光時間および発光量の少なくとも一方を小さくすることで、基本光および追加光を変調する。
【００８５】
また、特色度、混合量および混合率は、計算式を用いて決定されていたが、特色度、混合量および混合率の決定方法はこの例に限らない。例えば、特色度算出部２０１は、画素の色と、その画素の色と所定の色（青色）との対応関係を示すルックアップテーブルを保持し、そのルックアップテーブルを用いて各画素の特色度を決定してもよい。また、データ生成部２０２は、特色度と混合量または混合率との対応関係を示すルックアップテーブルを保持し、そのルックアップテーブルを用いて混合量または混合率を決定してもよい。このとき、特色度算出部２０１は、ルックアップテーブルを用いて混合率を決定し、その後、式（６）を用いて混合量を算出してもよい。
【００８６】
また、投写光学部の構成として投写レンズ１１２が使用されていたが、投写レンズ１１２の代わりに、または、投写レンズ１１２に加えて、投写ミラーなどが使用されてもよい。
【００８７】
以上説明したように本実施形態によれば、画素の色と青色との近似性を示す特色度に応じて、追加光である緑色光が変調されるので、画素の色が白色付近の場合には、緑色の光の光量を高くして、画像を明るくすることが可能になり、画素の色が青色付近の場合には、緑色の光の光量を低くして、色再現性を向上させることが可能になる。したがって、白色の画像の高輝度化を実現しつつ、色再現性を向上させることが可能になる。
【００８８】
また、本実施形態では、各画素について、当該画素に対応する特色度が高いほど、投写光学部から投写される追加光の当該画素の光量が低くなるので、白色の画像の高輝度化と色再現性の向上とをより適確に実現することが可能になる。
【００８９】
次に本発明の第２の実施形態について説明する。
【００９０】
図１１は、本実施形態のプロジェクタの光学系の構成を示す図である。図１１に示す光学系は、図３に示した第１の実施形態の光学系と比較すると、基本光である赤色光および緑色光を出射、変調するための構成が異なっているが、基本光である青色および追加光である緑色光を出射、変調するための構成は同じである。
【００９１】
具体的には、図１１に示す光学系は、白色光源１０３および５０１と、カラーホイール１０４および５０２と、プリズム１０７および５０３と、ＤＭＤ１１０および５０４と、ダイクロイックプリズム１１１とを有する。
【００９２】
なお、本実施形態では、白色光源１０３および５０１とカラーホイール１０４および５０２とが図２に示した光源部１１を構成する。また、ＤＭＤ１１０および５０４が図２で示した変調部１３を構成する。
【００９３】
白色光源５０１は、白色光を出射する。カラーホイール５０２は、白色光源５０１から出射された白色光の光路上に配置され、入射された白色光を基本光である赤色光および緑色光に時分割して出射する。
【００９４】
なお、本実施形態では、カラーホイール５０２は、所定の回転軸を中心に回転可能な円盤状の基板を有し、その基板には、赤色光を透過する赤色フィルタと、緑色光を透過する緑色フィルタとが設けられているものとする。また、カラーホイール５０２は、入力映像信号の１フレーム期間内で白色光を赤色光と緑色光とに時分割するように制御されるものとしている。
【００９５】
プリズム５０３は、カラーホイール５０２で時分割された赤色光および緑色光の光路上に設けられ、その赤色光および緑色光を反射してＤＭＤ５０４に入射させる。
【００９６】
ＤＭＤ５０４は、入力されたＰＷＭ信号に従って、自身の各マイクロミラーのオンステートとオフステートと切り替えることで、プリズム５０３から入射された赤色光および緑色光を変調して出射する。
【００９７】
ダイクロイックプリズム１１１は、ＤＭＤ１１０および５０４からの各色光を投写レンズ１１２を介して同じ方向（図１１の光出力の方向）に向けて出射する。
【００９８】
次に本実施形態の制御部について説明する。
【００９９】
図１２は、本実施形態の制御部の構成を示すブロック図である。図１２に示す本実施形態の制御部１２は、図４に示した第１の実施形態の制御部１２と比較すると、基本光である赤色光および緑色光を変調するための構成が異なっているが、基本光である青色光および追加光である緑色光を変調するための構成は同じである。
【０１００】
具体的には、図１２に示す制御部１２は、特色度算出部２０１と、データ生成部２０２と、シーケンス生成部２０３および６０１と、ＤＭＤ駆動部２０４および６０２とを有する。
【０１０１】
シーケンス生成部６０１は、入力映像信号である赤色信号および緑色信号と、その同期信号に基づいて、カラーホイール５０２が赤色光を出射する赤色期間には、赤色信号が示す輝度値を示し、カラーホイール５０２が緑色光を出射する緑色期間には、緑色信号が示す輝度値を示すシーケンス信号を生成して出力する。
【０１０２】
ＤＭＤ駆動部６０２は、入力映像信号の１フレーム期間ごとに、シーケンス生成部６０１から出力されたシーケンス信号が示す赤色の輝度値に応じて、１フレーム期間内のカラーホイール５０２が赤色光を出射する赤色期間における、ＤＭＤ５０４の各マイクロミラーのオン比率である赤色オン比率を求める。また、ＤＭＤ駆動部６０２は、１フレーム期間ごとに、シーケンス生成部６０１から出力されたシーケンス信号が示す緑色の輝度値に応じて、１フレーム期間内のカラーホイール５０２が緑色光を出射する緑色期間における、ＤＭＤ５０４の各マイクロミラーのオン比率である緑色オン比率を求める。そして、ＤＭＤ駆動部２０６は、赤色期間ごとに、赤色オン比率を示す第１のＰＷＭ信号をＤＭＤ１１０に出力し、緑色期間ごとに緑色オン比率を示す第１のＰＷＭ信号をＤＭＤ１１０に出力する。これにより、ＤＭＤ１１０は、カラーホイール５０２から入射された赤色光および緑色光を第１のＰＷＭ信号に従って変調して出力することになる。
【０１０３】
本実施形態でも、基本光である青色光および追加光である緑色光を変調するための構成は第１の実施形態と同じであり、第１の実施形態と同様に、白色の画像の高輝度化を実現しつつ、色再現性を向上させることが可能になる。
【０１０４】
次に本発明の第３の実施形態について説明する。
【０１０５】
図１３は、本発明の第３の実施形態のプロジェクタの光学系の構成を示す図である。図１３に示す光学系は、赤色光源７０１と、緑色光源７０２および７０４と、青色光源７０３と、ダイクロイックプリズム７０５および７１０と、プリズム７０６および７０７と、ＤＭＤ（Digital Mirror Device）７０８および７０９と、投写レンズ７１１とを有する。
【０１０６】
赤色光源７０１と、緑色光源７０２および７０４と、青色光源７０３とは図２に示した光源部１１を構成する。本実施形態では、光源部は、第１の実施形態と同様に、基本光として赤色光、緑色光および青色光を出射し、追加光として緑色光を出射するものとする。
【０１０７】
具体的には、赤色光源７０１、緑色光源７０２および青色光源７０３は、それぞれ赤色光、緑色光および青色光を基本光として出射する。また、緑色光源７０４は、追加光として緑色光を出射する。なお、本実施形態では、赤色光源７０１、緑色光源７０２、７０４および青色光源７０３のそれぞれは、ＬＥＤやＬＤ（Laser Diode）のような高速に点滅が可能な発光素子で構成されるものとする。
【０１０８】
ダイクロイックプリズム７０５は、赤色光源７０１、緑色光源７０２および青色光源７０３のそれぞれから出射された各基本光を同一の方向に出射する。
【０１０９】
プリズム７０６は、ダイクロイックプリズム７０５から出射された各基本光を反射してＤＭＤ７０８に入射させる。プリズム７０７は、緑色光源７０４から出射された緑色光を反射してＤＭＤ７０９に入射させる。
【０１１０】
ＤＭＤ７０８および７０９は図２で示した変調部１３を構成する。具体的には、ＤＭＤ７０８は、第１のＰＷＭ信号に従って、プリズム７０６からの各基本光を変調して出射し、ＤＭＤ７０９は、第２のＰＷＭ信号に従って、プリズム７０７からの追加光である緑色光を変調して出射する。
【０１１１】
ダイクロイックプリズム７１０は、ＤＭＤ７０８からの各基本光と、ＤＭＤ７０９からの追加光とを、投写レンズ７１１を介して同じ方向（図１３の光出力の方向）に向けて出射する。なお、ダイクロイックプリズム７１０および投写レンズ７１１は投写光学部の構成の一例であり、ＤＭＤ７０８および７０９からの各基本光および追加光を投写面に投写する。
【０１１２】
次に本実施形態の制御部について説明する。なお、以下の説明および図面では、赤色光源７０１、緑色光源７０２および青色光源７０３をまとめて基本光源７０１〜７０３と表記することもある。
【０１１３】
図１４は、本実施形態の制御部の構成を示すブロック図である。図１４に示す制御部１２は、第１の制御部８１０と、第２の制御部８２０とを有する。また、制御部１２には、映像信号として、赤色、緑色および青色のそれぞれの輝度値を画素ごとに示すＲＧＢ形式のデジタル映像信号が入力される。
【０１１４】
第１の制御部８１０は、入力された入力映像信号の各画素の色に応じた第１のＰＷＭ信号をＤＭＤ７０８に出力する。具体的には、第１の制御部８１０は、シーケンス生成部８０１と、光源駆動部８０２と、ＤＭＤ駆動部８０３とを有する。
【０１１５】
シーケンス生成部８０１は、入力映像信号の同期信号に基づいて、基本光源７０１〜７０３のそれぞれを点灯させる点灯期間を示す基本点灯タイミング信号を生成する。本実施形態では、入力映像信号の１フレーム内で複数の光源を順番に点灯させるフィールドシーケンシャル方式で基本光源７０１〜７０３を点灯させるものとする。このため、シーケンス生成部８０１は、入力映像信号の１フレーム内で基本光源７０１〜７０３が順番に点灯するように、基本点灯タイミング信号を生成する。
【０１１６】
以下では、シーケンス生成部８０１は、図１５に示すように、入力映像信号の１フレーム内で、基本光源７０１〜７０３がそれぞれ点灯期間９０１〜９０３に点灯するように、基本点灯タイミング信号を生成するものとする。なお、各点灯期間９０１〜９０３は重複せず、各点灯期間９０１〜９０３の長さがそれぞれ等しいものとしている。
【０１１７】
シーケンス生成部８０１は、基本点灯タイミング信号に応じて、入力映像信号を、赤色、緑色および青色のそれぞれの輝度値を画素ごとに示す複数の輝度信号に時分割する。そして、シーケンス生成部４０１は、基本点灯タイミング信号を光源駆動部８０２およびＤＭＤ駆動部８０３に出力し、各輝度信号をＤＭＤ駆動部８０３に出力する。このとき、シーケンス生成部８０１は、基本点灯タイミング信号に応じて、各輝度信号を、その輝度信号にて示される色の基本光を出射する基本光源の点灯期間に合わせて出力する。
【０１１８】
光源駆動部８０２は、シーケンス生成部８０１からの基本点灯タイミング信号に応じて、基本光源７０１〜７０３のそれぞれを点灯させる。これにより、図１５に示したように基本光源７０１〜７０３は１フレームごとに順次点灯されることになる。
【０１１９】
ＤＭＤ駆動部８０３は、シーケンス生成部８０１からの基本点灯タイミング信号および各輝度信号に基づいて、基本光である赤色光、緑色光および青色光のそれぞれを変調するための第１のＰＷＭ信号を生成してＤＭＤ７０８に出力する。
【０１２０】
具体的には、ＤＭＤ駆動部８０３は、各輝度信号に基づいて、１フレーム期間内の各基本光源７０１〜７０３の点灯期間における、ＤＭＤ７０８の各マイクロミラーのオン比率である基本オン比率を求め、その基本オン比率に応じた第１のＰＷＭ信号を生成する。そして、ＤＭＤ駆動部８０３は、基本点灯タイミング信号が示す各基本光源の点灯期間に合わせて、その基本光源が出射する色光に対応する第１のＰＷＭ信号をＤＭＤ７０９に入力する。これにより、ＤＭＤ７０９は、第１のＰＷＭ信号に従って各基本光を変調することになる。
【０１２１】
第２の制御部８２０は、入力映像信号に基づいて、その入力映像信号に示される画像の画素ごとに、その画素の色と所定の色である青色光との近似度である特色度を算出し、各画素の特色度に応じた第２のＰＷＭ信号をＤＭＤ７０９に出力する。具体的には、第２の制御部８２０は、特色度算出部８０４と、データ生成部８０５と、シーケンス生成部８０６と、光源駆動部８０７と、ＤＭＤ駆動部８０８とを有する。
【０１２２】
特色度算出部８０４は、入力映像信号に基づいて、入力映像信号に示される画像の画素ごとに、その画素の色の所定の色である青色に対する近似性を示す特色度を算出し、その各画素の特色度を示す特色度信号と入力映像信号とをデータ生成部８０５に出力する。
【０１２３】
データ生成部８０５は、特色度算出部８０４からの特色度信号が示す特色度と、特色度算出部８０４からの入力映像信号が示す青色の輝度値とに基づいて、各画素における追加光の輝度値である混合量を決定する。
【０１２４】
シーケンス生成部８０６は、データ生成部８０５からの入力映像信号の同期信号に基づいて、緑色光源７０４を点灯させる点灯期間を示す追加点灯タイミング信号を生成する。本実施形態では、シーケンス生成部８０６は、図１５に示すように、緑色光源７０４の点灯期間９０４が青色光源７０３の点灯期間９０３と同じになるように追加点灯タイミング信号を生成する。
【０１２５】
そして、シーケンス生成部８０６は、追加点灯タイミング信号を光源駆動部８０７およびＤＭＤ駆動部８０８に出力し、混合量信号をＤＭＤ駆動部８０８に出力する。このとき、シーケンス生成部８０６は、混合量信号を、追加点灯タイミング信号に応じて、緑色光源７０４の点灯期間に合わせて出力する。
【０１２６】
光源駆動部８０７は、シーケンス生成部８０６からの追加点灯タイミング信号に応じて、緑色光源７０４を点灯させる。これにより、図１５に示したように緑色光源７０４は、青色光源７０３の点灯期間９０３と同じ点灯期間９０４で緑色光源７０４を点灯する。
【０１２７】
ＤＭＤ駆動部８０８は、シーケンス生成部８０６からの追加点灯タイミング信号および混合量信号に基づいて、追加光である緑色光を変調するための第２の変調信号である第２のＰＷＭ信号を生成してＤＭＤ７０９に入力する。
【０１２８】
具体的には、ＤＭＤ駆動部８０８は、先ず、混合量信号に基づいて、１フレーム期間内の緑色光源７０４の点灯期間における、ＤＭＤ７０９の各マイクロミラーのオン比率を求める。このとき、ＤＭＤ駆動部４０８は、混合量が高いほどオン比率を大きくする。
【０１２９】
続いて、ＤＭＤ駆動部８０８は、ＤＭＤ７０９の各マイクロミラーのオン比率を示す第２のＰＷＭ信号を生成し、その第２のＰＷＭ信号を、追加点灯タイミング信号が示す緑色光源７０４の点灯期間に合わせてＤＭＤ７０９に入力する。これにより、ＤＭＤ７０９は、各画素の特色度に応じて追加光を変調することになる。
【０１３０】
なお、本実施形態において、特色度や混合量を求める方法は、第１の実施形態と同様である。
【０１３１】
次に本実施形態のプロジェクタの動作について説明する。
【０１３２】
図１６は、制御部の動作を説明するためのフローチャートである。
【０１３３】
先ず、外部装置から入力された入力映像信号は、シーケンス生成部８０１および特色度算出部８０４に入力される（ステップＳ１００１）。なお、入力映像信号には、赤色、緑色および青色のそれぞれの輝度を示す赤色信号、緑色信号および青色信号が含まれるものとする。また、以下の処理は、入力映像信号の１フレームごとに実行される。
【０１３４】
シーケンス生成部８０１は、入力映像信号の同期信号に基づいて、基本点灯タイミング信号を生成して光源駆動部８０２およびＤＭＤ駆動部８０３に出力するとともに、基本点灯タイミング信号に応じて入力映像信号を赤色信号、緑色信号および青色信号に時分割してＤＭＤ駆動部８０３に出力する。このとき、シーケンス生成部８０１は、図１５における赤色光源７０１の点灯期間９０１に合わせて赤色信号を出力し、緑色光源７０２の点灯期間９０２に合わせて緑色信号を出力し、青色光源７０３の点灯期間９０３に合わせて青色信号を出力する（ステップＳ１００２）。
【０１３５】
光源駆動部８０２は、基本点灯タイミング信号を受け付け、その基本点灯タイミング信号に応じて基本光源７０１〜７０３を点灯させる。一方、ＤＭＤ駆動部８０３は、基本点灯タイミング信号、赤色信号、緑色信号および青色信号を受け付け、その基本点灯タイミング信号、赤色信号、緑色信号および青色信号に基づいて第１のＰＷＭ信号を生成してＤＭＤ７０９に出力する。これにより、ＤＭＤ７０９は、第１のＰＷＭ信号に従って各基本光を変調することになる（ステップＳ１００３）。
【０１３６】
一方、特色度算出部８０４は、入力映像信号に基づいて、画素ごとに特色度を算出し、各画素の特色度を示す特色度信号を生成する。そして、特色度算出部８０４は、特色度信号および入力映像信号をデータ生成部８０５に出力する（ステップＳ１００４）。
【０１３７】
データ生成部８０５は、特色度信号および入力映像信号を受け付け、その特色度信号に基づいて、入力映像信号に示される画像の画素ごとに混合量を決定し、各画素の混合量信号を生成する。そして、データ生成部８０５は、混合量信号および入力映像信号をシーケンス生成部８０６に出力する（ステップＳ１００５）。
【０１３８】
シーケンス生成部８０６は、混合量信号および入力映像信号を受け付ける。シーケンス生成部８０６は、入力映像信号の同期信号に基づいて、追加点灯タイミング信号を生成して光源駆動部８０７およびＤＭＤ駆動部８０８に出力するとともに、その追加点灯タイミング信号に従って、混合量信号を図１５における緑色光源７０４の点灯期間９０４に合わせてＤＭＤ駆動部８０８に出力する（ステップＳ１００６）。
【０１３９】
光源駆動部８０７は、追加点灯タイミング信号を受け付け、その追加点灯タイミング信号に応じて緑色光源７０４を点灯させる。一方、ＤＭＤ駆動部８０８は、追加点灯タイミング信号および混合量信号を受け付け、その追加点灯タイミング信号および混合量信号に基づいて第２のＰＷＭ信号を生成してＤＭＤ７０９に入力する。これにより、ＤＭＤ７０９は、緑色光源７０４からの緑色光を第２のＰＷＭ信号に従って変調することとなる（ステップＳ１００７）。
【０１４０】
次に図１４に示した光学系の動作について説明する。
【０１４１】
基本光源７０１〜７０３（赤色光源７０１、緑色光源７０２および青色光源７０３）は、フィールドシーケンシャル方式で制御されるため、順番に点灯する。これにより、基本光源７０１〜７０３から、赤色光、緑色光および青色光が順番に出射する。
【０１４２】
基本光源７０１〜７０３からの各色光は、ダイクロイックプリズム７０５にて同一の方向に出射され、その後、プリズム７０６で反射されてＤＭＤ７０８に入射する。そして、各色光は、ＤＭＤ７０８で第１のＰＷＭ信号に従って変調されてダイクロイックプリズム７１０に向けて出射される。
【０１４３】
一方、緑色光源７０４は、青色光源７０３の点灯期間と同じ期間に点灯して、緑色光を出射する。緑色光源７０４からの緑色光は、プリズム７０７で反射されてＤＭＤ７０９に入射する。そして、緑色光は、ＤＭＤ７０９で第２のＰＷＭ信号に従って変調されてダイクロイックプリズム７１０に向けて出射される。
【０１４４】
ダイクロイックプリズム７１０は、ＤＭＤ７０９からの各色光と、ＤＭＤ７０９からの緑色光を投写レンズ１１２を介して同一の方向（具体的には、図３の光出力の方向）に出射する。このとき、ＤＭＤ７０９からの青色光と、ＤＭＤ７０９からの緑色光は同じタイミングでダイクロイックプリズム７１０に到達し、ダイクロイックプリズム７１０は、その青色光と緑色光とを合成して出射する。
【０１４５】
以上説明したように本実施形態でも、画素の色と青色との近似性を示す特色度に応じて、追加光である緑色光が変調されるので、画素の色が白色付近の場合には、緑色の光の光量を高くして、画像を明るくすることが可能になり、画素の色が青色付近の場合には、緑色の光の光量を低くして、色再現性を向上させることが可能になる。したがって、白色の画像の高輝度化を実現しつつ、色再現性を向上させることが可能になる。
【０１４６】
次に本発明の第４の実施形態について説明する。
【０１４７】
第１〜第３の実施形態では、各画素の色の青色に対する特色度を算出していたが、青色光に緑色光が混合されると、青色の基本光と他の基本光（赤色および緑色）とが混合された混合光の色であるマゼンタやシアンの色再現性も低下する可能性がある。このため、本実施形態では、各画素の色の青色に対する特色度だけでなく、各画素の色のマゼンタやシアンに対する特色度も算出する。
【０１４８】
以下の説明では、本実施形態におけるプロジェクタの構成は、図３および図４で示した第１の実施形態のプロジェクタと同じであるとするが、第２の実施形態および第３の実施形態のプロジェクタでも同様なことが可能である。
【０１４９】
特色度算出部２０１は、各画素の色の青色特色度ΔＢｃに加えて、さらに、各画素の色のマゼンタに対する特色度であるマゼンタ特色度ΔＭｃと、各画素の色のシアンに対する特色度であるシアン特色度ΔＣｃとを算出する。
【０１５０】
例えば、特色度算出部２０１は、マゼンタ特色度ΔＭｃについては、式７を用いて算出する。
【０１５１】
【数７】
2014162768.tif 000010
【０１５２】
また、特色度算出部２０１は、シアン特色度ΔＣｃについては、式８を用いて算出する。
【０１５３】
【数８】
2014162768.tif 000011
【０１５４】
この場合、データ生成部２０２は、青色特色度ΔＢｃ、マゼンタ特色度ΔＭｃおよびシアン特色度ΔＣｃに基づいて、混合量ＭＧを決定する。具体的には、データ生成部４０５は、青色特色度ΔＢｃ、マゼンタ特色度ΔＭｃおよびシアン特色度ΔＣｃの総和が高いほど、混合量を低くする。
【０１５５】
例えば、データ生成部４０５は、混合量ＭＧを、式９を用いて算出する。
【０１５６】
【数９】
2014162768.tif 000012
【０１５７】
なお、本実施形態では、青色、マゼンタおよびシアンの３種類の色に対する特色度を算出したが、例えば、青色とマゼンタの２種類の色または青色とシアンの２種類の色に対する特色度を算出してもよい。青色とマゼンタの２種類の色に対する特色度を使用する場合、混合率は、式９からシアン特色度ΔＣｃを除いた式１０を用いて算出することができる。また、青色とシアンの２種類の色に対する特色度を使用する場合、混合率は、式９からマゼンタ特色度ΔＭｃを除いた式１１を用いて算出することができる。
【０１５８】
【数１０】
2014162768.tif 000013
【０１５９】
なお、本実施形態におけるマゼンタ特色度ΔＭｃおよびシアン特色度ΔＣｃは、他特色度の一例である。
【０１６０】
本実施形態によれば、青色に対する特色度だけでなく、マゼンタやシアンに対する特色度に応じて追加光である緑色光が変調されるので、白色の画像の高輝度化と色再現性の向上とをより正確に実現することが可能になる。
【０１６１】
以上説明した各実施形態において、図示した構成は単なる一例であって、本発明はその構成に限定されるものではない。
【符号の説明】
【０１６２】
１０    プロジェクタ
１１    光源部
１２    制御部
１３    変調部
１０１、７０１  赤色光源
１０２、７０２、７０４  緑色光源
１０３、５０１  白色光源
１０４、５０２  カラーホイール
１０５〜１０７、５０３、７０６、７０７  プリズム
１０８〜１１０、５０４、７０８、７０９  ＤＭＤ
１１１、７０５、７１０  ダイクロイックプリズム
１１２、７１１  投写レンズ
２０１、８０４  特色度算出部
２０２、８０５  データ生成部
２０３、６０１、８０１、８０６  シーケンス生成部
２０４〜２０６、６０２、８０３、８０８  ＤＭＤ駆動部
７０３  青色光源
８０２、８０７  光源駆動部
８１０  第１の制御部
８２０  第２の制御部
【図１Ａ】
2014162768.tif 000016
【図１Ｂ】
2014162768.tif 000017
【図２】
2014162768.tif 000018
【図３】
2014162768.tif 000019
【図４】
2014162768.tif 000020
【図５】
2014162768.tif 000021
【図６】
2014162768.tif 000022
【図７】
2014162768.tif 000023
【図８】
2014162768.tif 000024
【図９】
2014162768.tif 000025
【図１０】
2014162768.tif 000026
【図１１】
2014162768.tif 000027
【図１２】
2014162768.tif 000028
【図１３】
2014162768.tif 000029
【図１４】
2014162768.tif 000030
【図１５】
2014162768.tif 000031
【図１６】
2014162768.tif 000032
【手続補正書】
【提出日】平成28年9月28日(2016.9.28)
【手続補正１】
【補正対象書類名】特許請求の範囲
【補正対象項目名】請求項７
【補正方法】変更
【補正の内容】
【請求項７】
請求項１ないし５のいずれか１項に記載のプロジェクタにおいて、
前記入力映像信号は、各画素の色を、前記所定の色の輝度値を含む複数の色の輝度値で表し、
前記制御部は、各画素の特色度と、前記入力映像信号が示す各画素の所定の色の輝度値とに基づいて、前記追加光の輝度値である混合量を決定し、前記混合量に応じた前記第２の変調信号を出力する、プロジェクタ。
【国際調査報告】
2014162768.tif 000033
2014162768.tif 000034
2014162768.tif 000035
2014162768.tif 000036